(57)【要約】【課題】ディスク状記録媒体の限られた試し書き領域に対して、各試し書きパルスの切り替えタイミングを早くしてできるだけ多くの種類の試し書きパルスを書き込んで各マーク及びスペースに対して最適な記録パルスを決定する。【解決手段】試し書きデータを生成し（Ｓ４）、記録パルス条件Ｍをテンポラリーレジスタ３３ａにセットし（Ｓ５）、記録パルス条件Ｍの区切りを示すユニークパターンを検出すると（Ｓ６）、テンポラリーレジスタ３３ａのデータを記録パルス設定用レジスタ３３ｂにライトし（Ｓ７）、試し書きを実行し（Ｓ８）、Ｍ＝Ｍ＋１としてＮ＝ＭとなるまでＳ５〜Ｓ８を繰り返す（Ｓ９、Ｓ１０）。Ｎ＝Ｍ、かつ試し書きフラグがオフ（Ｓ１１）で試し書きを終了し（Ｓ１２）、試し書きによって得られた条件Ｍから条件Ｎまでの記録信号を再生し（Ｓ１３）、最適値選択を行い（Ｓ１４）、最適な記録パルスを決定する（Ｓ１５）。【選択図】図４
2007042261.tif 000002
【特許請求の範囲】
【請求項１】
ディスク状記録媒体の試し書き領域に対して複数種類の試し書きパルスの各々によりそれぞれマーク及びスペースを書き込み、前記試し書き領域に書き込まれた前記マーク及びスペースを読み取ってそのマーク及びスペースを形成するための最適な記録パルスを決定する記録パルス最適化装置において、
前記複数種類の試し書きパルスの今回の試し書きパルスより次の試し書きパルスを生成するための試し書きデータを記憶するための第１のレジスタと、
前記複数種類の試し書きパルスの今回の試し書きパルスを生成するための試し書きデータを記憶するための第２のレジスタと、
前記次の試し書きパルスを生成するための試し書きデータを前記第１のレジスタに書き込むとともに、前記第２のレジスタに書き込まれた試し書きデータを読み出して前記今回の試し書きパルスを生成して試し書きを行い、次いで前記第１のレジスタに書き込まれた試し書きデータを前記第２のレジスタに転送して前記複数種類の試し書きパルスの各々ごとに試し書きを繰り返す手段とを、
備えたことを特徴とする記録パルス最適化装置。
【請求項２】
ディスク状記録媒体の試し書き領域に対して複数種類の試し書きパルスの各々によりそれぞれマーク及びスペースを書き込み、前記試し書き領域に書き込まれた前記マーク及びスペースを読み取ってそのマーク及びスペースを形成するための最適な記録パルスを決定する記録パルス最適化方法において、
前記複数種類の試し書きパルスの今回の試し書きパルスより次の試し書きパルスを生成するための試し書きデータを記憶するための第１のレジスタと、前記複数種類の試し書きパルスの今回の試し書きパルスを生成するための試し書きデータを記憶するための第２のレジスタとを用い、前記次の試し書きパルスを生成するための試し書きデータを前記第１のレジスタに書き込むとともに、前記第２のレジスタに書き込まれた試し書きデータを読み出して前記今回の試し書きパルスを生成して試し書きを行う第１のステップと、
前記第１のステップの後に前記第１のレジスタに書き込まれた試し書きデータを前記第２のレジスタに転送して前記複数種類の試し書きパルスの各々ごとに試し書きを繰り返す第２のステップとを、
備えたことを特徴とする記録パルス最適化方法。
【請求項３】
ディスク状記録媒体の試し書き領域に対して複数種類の試し書きパルスの各々によりそれぞれマーク及びスペースを書き込み、前記試し書き領域に書き込まれた前記マーク及びスペースを読み取ってそのマーク及びスペースを形成するための最適な記録パルスを決定する処理をコンピュータに実行させるためのコンピュータプログラムにおいて、
前記複数種類の試し書きパルスの今回の試し書きパルスより次の試し書きパルスを生成するための試し書きデータを記憶するための第１のレジスタと、前記複数種類の試し書きパルスの今回の試し書きパルスを生成するための試し書きデータを記憶するための第２のレジスタとを用い、前記次の試し書きパルスを生成するための試し書きデータを前記第１のレジスタに書き込むとともに、前記第２のレジスタに書き込まれた試し書きデータを読み出して前記今回の試し書きパルスを生成して試し書きを行う第１のステップと、
前記第１のステップの後に前記第１のレジスタに書き込まれた試し書きデータを前記第２のレジスタに転送して前記複数種類の試し書きパルスの各々ごとに試し書きを繰り返す第２のステップとを、
備えたことを特徴とするコンピュータプログラム。
【発明の詳細な説明】
【技術分野】
【０００１】
本発明は、ディスク状記録媒体の試し書き領域に対して複数種類の試し書きパルスの各々によりそれぞれマーク及びスペースを書き込み、試し書き領域に書き込まれたマーク及びスペースを読み取ってそのマーク及びスペースを形成するための最適な記録パルスを決定する記録パルス最適化装置及び記録パルス最適化方法並びにコンピュータプログラムに関する。
【背景技術】
【０００２】
従来、データの書き換え可能なディスク状記録媒体として、ＣＤ−Ｒ、ＣＤ−ＲＷ、ＤＶＤ−Ｒ、ＤＶＤ−ＲＷ、ＤＶＤ−ＲＡＭ、ＭＤ、ＭＯなどがあり、更に近年は、より大容量のＢＤ−ＲＥ（ブルーレイディスクリライタブル）が開発され、これらが一般に販売されている。ディスク状記録媒体の高密度化を実現するために、ＢＤ−ＲＥではＤＶＤに比べレーザ波長の短波長化や、レーザなどの光源からの光束をより小さなスポットに集光するため、レンズの開口数を大きくするなどしている。しかし、レンズの開口数が大きくなると、ディスク状記録媒体の反りや傾きに対してコマ収差が発生しやすくなる。この場合には、ディスク状記録媒体の読み取り面におけるカバー層の厚みが薄い方がコマ収差の発生を少なくできるという点で有利である。
【０００３】
ディスク状記録媒体の読み取り面（記録面）を保護する透過基板は、ＤＶＤでは０．６ｍｍであるが、ＢＤ−ＲＥではこの読み取り面のカバー厚をもっと薄い０．１ｍｍとしており、透過基板ではなく透過シートを基板に接着剤によって貼り合わせる形や、樹脂のスピンコートにより透過層を形成している。この場合、透過シートと接着剤とを合わせた厚さ誤差、または、スピンコートによる透過層の厚さ誤差による影響の度合いは、ＤＶＤに比べ遥かに大きく、記録感度ムラとして記録時におけるレーザパワーや、記録パルス幅にも影響を与えてしまう。
【０００４】
ディスク状記録媒体には、記録時に必要となるレーザパワー値や、記録パルス幅などの記録条件設定情報があらかじめ記憶されている。しかしながら、ディスク状記録媒体に記憶されている記録管理情報（記録条件）は、ＲＯＭ情報として基板に形成され、その後にディスク上に記録媒体を積層するため、記録媒体の形成状態により、記録条件の特性にはバラツキが生じる。
【０００５】
すなわち、同じレーザパワー、同じ記録パルス幅で情報を記録した場合であっても、ディスク状記録媒体の構造、記録媒体の組成、周囲温度などによって記録されたマーク／スペースの大きさは変化する。特に、マーク／スペースのエッジに情報を持たせるマークエッジ記録が多く行われる高密度の光記録においては、記録されたマーク／スペース長の変化は、再生信号のジッタとなって再生されたデータの誤り率の悪化を招くことになる。このため、通常、ディスク状記録媒体の記録再生においては、ディスク状記録媒体への試し書き（テストライト）を行い、その再生信号から得た記録状態を判定し、必要に応じて記録条件を補正し、最適化を行っている。
【０００６】
この記録条件の補正については、記録パルスのパラメータを最適化する従来技術として、例えば下記の特許文献１に記載の技術がある。特許文献１に記載の技術によれば、複数のゾーンに分割した光ディスクにおいて、各ゾーンの一定領域へテスト記録を行っている。また、下記の特許文献２では、セクタ単位で設定を変更し試し書きを行っている。
【特許文献１】特開２０００−３６１１５号公報（段落０００９）
【特許文献２】特開平６−３６３７７号公報（段落００２５）
【発明の開示】
【発明が解決しようとする課題】
【０００７】
しかしながら、特許文献１に開示された技術では、複数のゾーンに分割した光ディスクにおいて、各ゾーンの一定領域へテスト記録を行っているため、ゾーン分割していない光ディスクに関しては適応できない。また、特許文献２に開示された技術では、セクタ単位で設定を変更し試し書きを行っているので、ゾーン分割していない光ディスクに関しても適応できるが、特に追記型光ディスクへ試し書きを行う場合、試し書き領域のセクタ数によって制限が加わってしまうこととなる。ところで、試し書きを行う場合には、各マーク長及びスペース長（例えば２Ｔ、３Ｔ〜）に対してできるだけ多くの種類の試し書きパルスで各マーク及びスペースを書き込むことが望まれるが、ディスク状記録媒体の試し書き領域は限られている。
【０００８】
本発明は、かかる問題を解決するべくなされたものであり、ディスク状記録媒体の限られた試し書き領域に対して、各試し書きパルスの切り替えタイミングを早くしてできるだけ多くの種類の試し書きパルスで書き込むことができ、ひいてはディスク状記録媒体、及び光記録再生装置の特性バラツキ、及び温度などの外的要因に起因する影響にかかわらず各マークに対して最適な記録パルスを決定することができ、良好に情報の書き込みを行うことによって再生信号品質を向上させることができる記録パルス最適化装置及び記録パルス最適化方法並びにコンピュータプログラムを提供することを目的とする。
【課題を解決するための手段】
【０００９】
本発明は上記目的を達成するために、ディスク状記録媒体の試し書き領域に対して複数種類の試し書きパルスの各々によりそれぞれマーク及びスペースを書き込み、前記試し書き領域に書き込まれた前記マーク及びスペースを読み取ってそのマーク及びスペースを形成するための最適な記録パルスを決定する記録パルス最適化装置において、
前記複数種類の試し書きパルスの今回の試し書きパルスより次の試し書きパルスを生成するための試し書きデータを記憶するための第１のレジスタと、
前記複数種類の試し書きパルスの今回の試し書きパルスを生成するための試し書きデータを記憶するための第２のレジスタと、
前記次の試し書きパルスを生成するための試し書きデータを前記第１のレジスタに書き込むとともに、前記第２のレジスタに書き込まれた試し書きデータを読み出して前記今回の試し書きパルスを生成して試し書きを行い、次いで前記第１のレジスタに書き込まれた試し書きデータを前記第２のレジスタに転送して前記複数種類の試し書きパルスの各々ごとに試し書きを繰り返す手段とを備えたことを特徴とする。
【００１０】
また、本発明は上記目的を達成するために、ディスク状記録媒体の試し書き領域に対して複数種類の試し書きパルスの各々によりそれぞれマーク及びスペースを書き込み、前記試し書き領域に書き込まれた前記マーク及びスペースを読み取ってそのマーク及びスペースを形成するための最適な記録パルスを決定する記録パルス最適化方法において、
前記複数種類の試し書きパルスの今回の試し書きパルスより次の試し書きパルスを生成するための試し書きデータを記憶するための第１のレジスタと、前記複数種類の試し書きパルスの今回の試し書きパルスを生成するための試し書きデータを記憶するための第２のレジスタとを用い、前記次の試し書きパルスを生成するための試し書きデータを前記第１のレジスタに書き込むとともに、前記第２のレジスタに書き込まれた試し書きデータを読み出して前記今回の試し書きパルスを生成して試し書きを行う第１のステップと、
前記第１のステップの後に前記第１のレジスタに書き込まれた試し書きデータを前記第２のレジスタに転送して前記複数種類の試し書きパルスの各々ごとに試し書きを繰り返す第２のステップとを備えたことを特徴とする。
また、本発明は上記目的を達成するために、ディスク状記録媒体の試し書き領域に対して複数種類の試し書きパルスの各々によりそれぞれマーク及びスペースを書き込み、前記試し書き領域に書き込まれた前記マーク及びスペースを読み取ってそのマーク及びスペースを形成するための最適な記録パルスを決定する処理をコンピュータに実行させるためのコンピュータプログラムにおいて、
前記複数種類の試し書きパルスの今回の試し書きパルスより次の試し書きパルスを生成するための試し書きデータを記憶するための第１のレジスタと、前記複数種類の試し書きパルスの今回の試し書きパルスを生成するための試し書きデータを記憶するための第２のレジスタとを用い、前記次の試し書きパルスを生成するための試し書きデータを前記第１のレジスタに書き込むとともに、前記第２のレジスタに書き込まれた試し書きデータを読み出して前記今回の試し書きパルスを生成して試し書きを行う第１のステップと、
前記第１のステップの後に前記第１のレジスタに書き込まれた試し書きデータを前記第２のレジスタに転送して前記複数種類の試し書きパルスの各々ごとに試し書きを繰り返す第２のステップとを、
備えたことを特徴とする。
【発明の効果】
【００１１】
本発明によれば、次の試し書きパルスを生成するための試し書きデータを第１のレジスタに書き込むとともに、第２のレジスタに書き込まれた試し書きデータを読み出して今回の試し書きパルスを生成して試し書きを行い、その後に第１のレジスタに書き込まれた試し書きデータを第２のレジスタに転送してこれを繰り返すので、ディスク状記録媒体の限られた試し書き領域に対して、各試し書きパルスの切り替えタイミングを早くしてできるだけ多くの種類の試し書きパルスを書き込むことができ、ひいてはディスク状記録媒体、及び光記録再生装置の特性バラツキ、及び温度などの外的要因に起因する影響にかかわらず各マーク及びスペースに対して最適な記録パルスを決定することができ、良好に情報の書き込みを行うことによって再生信号品質を向上させることができる。
【発明を実施するための最良の形態】
【００１２】
以下、本発明を実施するための最良の形態について、図面と共に説明する。
＜第１の実施の形態＞
図１は本発明に係る記録パルス最適化装置及び記録パルス最適化方法並びにコンピュータプログラムを実現する光記録再生装置の第１の実施の形態を示すブロック図、図２は記録時のレーザ発光波形の例を示す説明図、図３は試し書きデータとユニークパターンの関係を示す説明図、図４は、本発明に係る試し書き処理を説明するためのフローチャート、図５は本発明に係る最適記録パルス条件の情報の書き込み処理を説明するためのフローチャートである。
【００１３】
まず、本発明に係る記録パルス最適化装置及び記録パルス最適化方法並びにコンピュータプログラムの第１の実施の形態について、図１に示す光記録再生装置を用いて説明する。ここで、本発明の「試し書きデータ」とは「試し書き用の記録データ」ではなく、「試し書きパルスデータ」を指す。図１に示す光記録再生装置において、情報を繰り返し記録再生可能な相変化型のディスク状記録媒体１をスピンドルモータ２により回転駆動して、ディスク状記録媒体１の記録トラックを光ピックアップ１０（光ＰＵ）から出射するレーザ光で走査することにより、所定のデータフォーマットのデジタルデータ（ここでは、マーク長／スペース長＝２Ｔ、３Ｔ〜８Ｔ）を光学的に記録及び再生する。ここでは、相変化型のディスク状記録媒体１を記録再生可能な光記録再生装置を例として説明するが、光磁気型のディスク状記録媒体を記録再生可能な光記録再生装置を使用しても実現は可能である。
【００１４】
光ピックアップ１０においては、レーザ光源である半導体レーザ１１からのレーザ光がコリメートレンズ１２で平行光ビームとされ、ビームスプリッタ１３を通過し、対物レンズ１４によりディスク状記録媒体１上の信号記録面に集光されるように照射される。ディスク状記録媒体１の信号記録面に投射されて反射されたレーザ光の反射光ビーム（戻りレーザ光）は、対物レンズ１４により集光され、次いでビームスプリッタ１３で反射され、シリンドリカル（集光）レンズ１５により受光素子であるフォトディテクタ１６に導かれるようになっている。
【００１５】
フォトディテクタ１６は、例えば受光部が４分割された構造を有し、これらの各受光部からの光検出信号がプリアンプ２０を介してマトリクス回路２１に供給されることにより、これらの信号の和や差がとられて、いわゆるＲＦ信号（アナログ状態の信号）や、フォーカスエラー信号、トラッキングエラー信号などとして取り出される。ここでは、フォトディテクタ１６とプリアンプ２０を分けて説明したが、プリアンプ機能内蔵のフォトディテクタであってもよい。
【００１６】
フォーカスエラー信号及びトラッキングエラー信号は、位相補償回路（図示せず）を介し、更にサーボ駆動回路（図示せず）を介して、対物レンズ１４の２軸駆動装置の各駆動コイル（図示せず）にそれぞれ送られることにより、フォーカスサーボ、及びトラッキングサーボが行われる。また、ＲＦ信号は、各受光部からの出力信号の和信号であり、ＥＱ（イコライザ）２２に供給される。
【００１７】
マトリクス回路２１から出力されたＲＦ信号はＥＱ２２で整形され、次の２値化回路２３は、このＥＱ２２により整形されたＲＦ信号を所定の閾値と比較し、その閾値を境に２値化する。それにより整形されたＲＦ信号はデジタル信号へ変換される。ＰＬＬ（フェーズロックループ）２４は、デジタル信号と基準となるクロック信号とを同期させるものである。
【００１８】
起動時、若しくは記録動作の直前において、ディスク状記録媒体１にあらかじめ記憶されている記録管理情報（ディスクインフォメーション（ＤＩ）を含む）が再生され、上記経路を経て得られたデジタル信号の内、記録パワー情報は記録パワー情報復調部２５で復調され、記録パルス情報は記録パルス情報復調部２８で復調される。それぞれ復調された記録パワー情報は記録パワー決定部２６へ、記録パルス情報は記録パルス決定部３３へと送られる。
【００１９】
次に、上記の記録管理情報に記載の記録パワー情報、記録パルス情報について、図２に示す記録時のレーザ発光波形の例を使って説明する。この例においては、ディスク状記録媒体１にあらかじめ記憶されている記録管理情報の記録パワー情報、記録パルス情報以外にＯＰＣのための情報も含んだ形で説明を行う。記録管理情報には、次に示すパラメータが記録されている。
【００２０】
記録パワー情報として、
「最適記録ピークパワーＰwoを得るための指標となる記録ピークパワーＰind」、
「乗数ρ（Ｐwo＝ρ×Ｐind）」、
「記録ピークパワーＰindで記載された記録パワーで記録したときの変調度ｍind」、
「最適記録バイアスパワーＰbwoを得るためのバイアスパワー／記録ピークパワー比率
εbw（Ｐbwo＝Ｐwo×εbw）」、
「最適記録クーリングパワーＰcoを得るためのクーリングパワー／記録ピークパワー比率εc（Ｐco＝Ｐwo×εc）」、
「最適消去パワーＰe1を得るための消去パワー１／記録ピークパワー比率εe1（Ｐe1＝Ｐwo×εe1）」、
「最適消去パワーＰe2を得るための消去パワー２／記録ピークパワー比率εe2（Ｐe2＝Ｐwo×εe2）」、
「ＯＰＣが実行される変調度カーブ上のポイントを示す記録ピークパワーＰwと記録閾値ピークパワーＰthrの目標比率κ（κ＝Ｐw／Ｐthr）」である。
【００２１】
また、記録パルス情報としては、次に示すパラメータが記録されている。
「先頭パルス幅Ｔtop」、
「先頭パルス前端位置情報ｄTtop」、
「後続パルス幅Ｔmp」、
「消去パルス前端位置情報ｄTe」（場合によっては各マーク長にスペース長に応じて設定されている）。これらの組み合わせによって、図２に示すようにマーク長（及びスペース長）に対するレーザ発光波形を実現する。
【００２２】
次に、図１に戻り、記録パワー決定部２６は、記録パワー情報復調部２５で復調された記録パワー情報、若しくはＣＰＵ２９を介して得られるメモリ３０に記憶された記録パワー情報を選択して記録パワーの設定値を決定するもので、この出力信号は、レーザ駆動回路２７へと送られ、半導体レーザ点灯時の目標値となる。メモリ３０は例えばシステムの動作プログラムやデータなどを格納するＲＯＭなどの不揮発性メモリと、光ピックアップ１０がディスク状記録媒体１から読み出した情報及び必要な制御プログラムを一時的に格納するＲＡＭなどの揮発性メモリとを含む。また、メモリ３０には、試し書き用のテストデータも記憶されており、試し書き用のテストデータはＣＰＵ２９を介してデータ変換部３１へと送られる。
【００２３】
データ変換部３１は、記録対象データ（試し書き用テストデータを含む）をディスク状記録媒体１に記録可能な所定のフォーマットに変換する。ここで、ＢＤ−ＲＥのディスク状記録媒体１では、記録対象データは１−７ｐｐ変調され、「１」に続き「０」を１〜７個必ず含む。記録対象データでの「０」から「１」への反転が記録データのパルス端に対応するように、記録対象データが変換される。それにより、記録データのパルス幅は２〜８ビットの記録対象データに相当する。データ１ビット当たりのパルス幅をＰＬＬ２４のクロック周期１Ｔと等しく設定するとき、記録データにおける各パルス幅は２Ｔ〜８Ｔである。ＢＤ−ＲＥで実際に記録されるデータについては、記録対象データの他にパルス幅９Ｔを含む同期信号についても変換される。
【００２４】
試し書きデータ生成部３２では、データ変換部３１からの試し書き用テストデータに対して所望のデータ長ごとにユニークパターンを追加し、試し書きデータを生成する。この出力信号は記録パルス決定部３３とユニークパターン検出部３４へと送られる。
【００２５】
記録パルス決定部３３では、通常の記録時の場合、記録パルス情報復調部２８からの記録パルス情報とデータ変換部３１からの試し書き用テストデータを基に光変調用のパルス出力をレーザ駆動回路２７へと送る。試し書き時では、記録パルス情報復調部２８からの記録パルス情報を基に試し書き用の記録パルス情報として試し書きデータをテンポラリーレジスタ３３ａにセットする。光記録再生装置のメモリ３０に代替の記録パルス情報がある場合はそちらを使用してもよい。試し書きデータ生成部３２で生成された試し書きデータをユニークパターン検出部３４へ送り、ユニークパターン検出部３４からユニークパターン検出信号を記録パルス決定部３３へと送る。ここでは図示していないがＣＰＵ２９を介して試し書きデータ生成部３２で生成された試し書きデータを記録パルス決定部３３へと送ってもよい。
【００２６】
図３に試し書きデータとユニークパターンの関係を示す。この図に示すように、記録パルス決定部３３では、ユニークパターン検出信号を検出する前に今回の記録パルス条件Ｍをテンポラリーレジスタ３３ａにセットし、ユニークパターン検出信号を検出するとテンポラリーレジスタ３３ａのデータをレジスタ３３ｂへリライトする。次に、次の記録パルス条件Ｍ＋１をテンポラリーレジスタ３３ａにセットし、ユニークパターン検出信号を検出するとテンポラリーレジスタ３３ａのデータをレジスタ３３ｂへリライトして、この動作を最後の記録パルス条件Ｎまで繰り返す。そして、試し書きデータ生成部３２で生成された試し書きデータを基に試し書き時の光変調用のパルス出力としてレーザ駆動回路２７へと送る。
【００２７】
記録パルス決定部３３の出力信号はレーザ駆動回路２７へと送られ、記録パワー決定部２６からの記録パワー情報と記録パルス決定部３３からの記録時のパルス変調信号によって半導体レーザ１１をパルス駆動し、ディスク状記録媒体１に対して記録を行えるようにしている。
【００２８】
ジッタ計測部３５は、ディスク状記録媒体１に記録された信号を上述のように再生して、ＰＬＬ２４からの記録信号のジッタを計測して試し書きに使用し、計測結果はＣＰＵ２９へと送られ、試し書きで得られた記録信号の最適値選択を行うことに使われる。
【００２９】
本実施の形態は、試し書き時にテンポラリーレジスタ３３ａとユニークパターンを利用し、試し書き時の記録パルス設定を効率的に切り替えることによって、良好に情報の書き込みを行うことによって再生信号品質を向上させることが可能な記録パルスを得るためのものであり、以下、請求項２、３に記載の第１のステップについて図４のフローチャートに沿って詳細の説明を行う。
【００３０】
始めに、試し書き開始の命令に従い試し書きフラグをオン（立てる）にし（ステップＳ１）、光ピックアップ１０をディスク状記録媒体１の試し書き領域に移動し（ステップＳ２）、スピンドルサーボ系、フォーカスサーボ系、トラッキングサーボ系の順で各サーボ系を駆動し、所定のアドレスにシークする（ステップＳ３）。
【００３１】
次に、ＣＰＵ２９でメモリ３０に記憶されている試し書き用データを読み出し、試し書き用データをデータ変換部３１へ送って試し書き用テストデータをディスク状記録媒体１に記録可能な所定のフォーマットに変換し、次いでこのデータを試し書きデータ生成部３２へ送って、記録可能なフォーマットに変換した試し書き用テストデータに対して所望のデータ長ごとにユニークパターンを追加し、試し書きデータを生成する（ステップＳ４）。
【００３２】
このフローチャートには図示していないが、前述のＤＩを再生して記録パルス情報復調部２８によって得られた記録パルス情報を基に、記録パルス条件Ｍ（Ｍ≧１）を求め、記録パルス条件Ｍをテンポラリーレジスタ３３ａにセットする（ステップＳ５）。
【００３３】
ＣＰＵ２９からの命令で試し書きデータ生成部３２の出力信号である試し書きデータをユニークパターン検出部３４へと送り、ここで記録パルス条件Ｍの区切りを示すユニークパターンを検出すると（ステップＳ６）、ユニークパターン検出信号を記録パルス決定部３３へ送り、この信号が送られると記録パルス条件Ｍを通常使用するレジスタ３３ｂにライトする（ステップＳ７）。ここでは、ＣＰＵ２９を介さずにユニークパターン検出信号のやり取りをしているが、ＣＰＵ２９を介して記録パルス決定部３３へと送ってもよい。記録パルス条件Ｍをレジスタ３３ｂにライト後、試し書きを実行する（ステップＳ８）。このときの記録パワー設定は、ＤＩ値から復調された記録パワー情報を使用するか、若しくはＯＰＣなどの記録パワーキャリブレーションによって求められた記録パワー情報を使用する。
【００３４】
試し書き実行中に所定の回数（条件Ｍから条件Ｎまで。ただし、Ｎ≧Ｍ）設定変更を行うため、設定変更回数が所定の回数に達したか（Ｎ＝Ｍ）を判別する（ステップＳ９）。Ｎ＞Ｍの場合、条件Ｍ（Ｍ＝記録パルス設定回数）をＭ＝Ｍ＋１として（ステップ１０）、ステップＳ５へと戻り、Ｎ＝Ｍとなるまで、ステップＳ５からステップＳ１０を繰り返す。ステップＳ９においてＮ＝Ｍの場合、条件Ｎの試し書き中に試し書きフラグの判別を行い（ステップＳ１１）、オンの場合、試し書き実行に戻り（ステップＳ８）、オフ（降りている）の場合、試し書きを終了する（ステップＳ１２）。
【００３５】
その後、試し書きによって得られた条件Ｍから条件Ｎまでの記録信号を再生し（ステップＳ１３）、これらの信号から最小ジッタ値、若しくは、これらの信号の近似式を求め、近似式上で最小となるジッタ値を選択する（ステップＳ１４）。そして、ジッタ値に対応する記録パルス条件を最適記録パルスとして決定する（ステップＳ１５）。
【００３６】
次に、請求項２、３に記載の第２のステップについて説明する。図２で説明した記録時のレーザ発光波形における記録パルスのパラメータとして、先頭パルス幅Ｔtop、先頭パルス前端位置情報ｄTtop、後続パルス幅Ｔmp、消去パルス前端位置情報ｄTeなどがあるが、この第２のステップでは、これらの個々のパラメータについて、または、組み合わせでパラメータの最適化を行い、具体的には図４のフローチャートの説明で示したステップＳ１からステップＳ１５を繰り返して行い、最適記録パルスを求める。
【００３７】
また、図５のフローチャートを用いて、ディスク状記録媒体１の記録管理情報領域に上記の動作により求めた最適記録パルス条件の情報を記録する動作について説明する。まず、記録パルス決定部３３、若しくは、メモリ３０に記憶された状態の最適記録パルス条件の情報をＣＰＵ２９を介してデータ変換部３１に送り、ここでディスク状記録媒体１に記録可能なフォーマットにデータを変換する（ステップＳ２１）。
【００３８】
次に、ディスク状記録媒体１に記録可能なフォーマットに変換された最適記録パルス条件の情報は、記録パルス決定部３３に送られ、最適記録パルス条件の情報を用いてパルス変調してレーザ駆動回路２７へ送られる。また、記録パワーに関しては、上述のようにディスク状記録媒体１から復調した記録パワー情報、若しくは、記録パワーキャリブレーションによって求めた記録パワー情報を用い記録パワー決定部２６で記録パワーを決定し、レーザ駆動回路２７へ送られる。レーザ駆動回路２７を介して半導体レーザ１１を駆動し最適記録パルスをディスク状記録媒体１に記録する（ステップＳ２２）。ここで記録された最適記録パルス条件の情報は、次回のディスク状記録媒体１へのデータ記録時の記録パルス条件として使用することができるため、試し書きを行わずに最適記録パルスを得ることが可能となる。
【００３９】
＜第２の実施の形態＞
図６は第２の実施の形態の光記録再生装置を示すブロック図である。第１の実施の形態では、図４のステップＳ１４における最適値選択ではジッタを用いて説明したが、第２の実施の形態では最適値選択における指標としてエラーレートを用い、図６では図１のジッタ計測部３５の代わりにエラーレート計測部３６が設けられている。第２の実施の形態について、図６に示す光記録再生装置と、図４に示すフローチャートを用いて説明する。ステップＳ１からステップＳ１３までは上記説明のように行い、その後、ステップＳ１４における最適値選択では、再生信号から最小エラーレート値、若しくはこれらの信号の近似式を求め、近似式上で最小エラーレート値を選択する。そして、ステップＳ１５では、選択されたエラーレート値に対応する記録パルス条件を最適記録パルスとして決定する。
【００４０】
＜第３の実施の形態＞
図７は第３の実施の形態の光記録再生装置を示すブロック図である。第１の実施の形態では、図４のステップＳ１４における最適値選択ではジッタを用いて説明したが、第３の実施の形態では最適値選択における指標としてアシンメトリーを用い、図７では図１のジッタ計測部３５の代わりにアシンメトリー計測部３７が設けられている。第３の実施の形態について、図７に示す光記録再生装置と、図４に示すフローチャートを用いて説明する。ステップＳ１からステップＳ１３までは上記説明のように行い、その後、ステップＳ１４における最適値選択では、再生信号からアシンメトリーがベスト（再生信号のバランスがベスト）となる値、若しくは、これらの信号の近似式を求め、近似式上でアシンメトリーがベストとなる値を選択する。そして、ステップＳ１５では、選択されたアシンメトリー値に対応する記録パルス条件を最適記録パルスとして決定する。
【００４１】
＜第４の実施の形態＞
図８は第４の実施の形態の光記録再生装置を示すブロック図である。第１の実施の形態では、ステップＳ１４における最適値選択ではジッタを用いて説明したが、第４の実施の形態では最適値選択における指標として各マーク／スペースにおけるエッジシフト量を用い、図８では図１のジッタ計測部３５の代わりにエッジシフト量計測部３８が設けられている。第４の実施の形態について、図８に示す光記録再生装置と、図４に示すフローチャートを用いて説明する。ステップＳ１からステップＳ１３までは上記説明のように行い、その後、ステップＳ１４における最適値選択では、再生信号からエッジシフト量の積算値、若しくは平均値における最小値、若しくは、これらの信号の近似式を求め、近似式上で最小となるエッジシフト量の積算値、若しくは平均値を選択する。そして、ステップＳ１５では、このエッジシフト量の積算値、若しくは平均値に対応する記録パルス条件を最適記録パルスとして決定する。
【００４２】
本発明によれば、記録パルス設定用のレジスタ３３ｂと、次の記録パルス設定データを一時的にストレージ可能なテンポラリーレジスタ３３ａを使用し、ユニークパターンを検出するごとに試し書きデータを更新するので、ディスク状記録媒体１の限られた試し書き領域に対して、各試し書きパルスの切り替えタイミングを早くしてできるだけ多くの種類の試し書きパルスを書き込むことができ、ひいてはディスク状記録媒体１、及び光記録再生装置の特性バラツキ、及び温度などの外的要因に起因する影響にかかわらず各マーク及びスペースに対して最適な記録パルスを決定することができ、良好に情報の書き込みを行うことによって再生信号品質を向上させることができる。
また、本発明のコンピュータプログラムは、メモリ３０に格納されたプログラムに応じて、図４及び図５のフローチャートにおいて示したように各ステップを順次実行するものである。また、本発明の記録パルス最適化方法及びコンピュータプログラムについて実施の形態により具体的に説明したが、本発明はこれに限定されるものではない。
【図面の簡単な説明】
【００４３】
【図１】本発明に係る記録パルス最適化装置及び記録パルス最適化方法並びにコンピュータプログラムを実現する光記録再生装置の第１の実施の形態を示すブロック図である。
【図２】記録時のレーザ発光波形の例を示す説明図である。
【図３】試し書きデータとユニークパターンの関係を示す説明図である。
【図４】本発明に係る記録パルス最適化装置及び記録パルス最適化方法並びにコンピュータプログラムの試し書き処理を説明するためのフローチャートである。
【図５】本発明に係る記録パルス最適化装置及び記録パルス最適化方法並びにコンピュータプログラムの最適記録パルスの書き込み処理を説明するためのフローチャートである。
【図６】本発明に係る記録パルス最適化装置及び記録パルス最適化方法並びにコンピュータプログラムを実現する光記録再生装置の第２の実施の形態を示すブロック図である。
【図７】本発明に係る記録パルス最適化装置及び記録パルス最適化方法並びにコンピュータプログラムを実現する光記録再生装置の第３の実施の形態を示すブロック図である。
【図８】本発明に係る記録パルス最適化装置及び記録パルス最適化方法並びにコンピュータプログラムを実現する光記録再生装置の第４の実施の形態を示すブロック図である。
【符号の説明】
【００４４】
１  ディスク状記録媒体
２  スピンドルモータ
１０  光ピックアップ
１１  半導体レーザ
１２  コリメートレンズ
１３  ビームスプリッタ
１４  対物レンズ
１５  シリンドリカル（集光）レンズ
１６  フォトディテクタ
２０  プリアンプ
２１  マトリクス回路
２２  ＥＱ（イコライザ）
２３  ２値化回路
２４  ＰＬＬ（フェーズロックループ）
２５  記録パワー情報復調部
２６  記録パワー決定部
２７  レーザ駆動回路
２８  記録パルス情報復調部
２９  ＣＰＵ
３０  メモリ
３１  データ変換部
３２  試し書きデータ生成部
３３  記録パルス決定部
３３ａ  テンポラリーレジスタ
３３ｂ  レジスタ
３４  ユニークパターン検出部
３５  ジッタ計測部
３６  エラーレート計測部
３７  アシンメトリー計測部
３８  エッジシフト量計測部
【図１】
2007042261.tif 000003
【図２】
2007042261.tif 000004
【図３】
2007042261.tif 000005
【図４】
2007042261.tif 000006
【図５】
2007042261.tif 000007
【図６】
2007042261.tif 000008
【図７】
2007042261.tif 000009
【図８】
2007042261.tif 000010